(57)【特許請求の範囲】
【請求項１】
左右の柱と上下の梁で区画される開口部分にブロックを積み上げて壁を構築する方法であって、
八角形状で形成され、斜辺同士が向かい合う配列で上記開口部分に縦横に配設されて、縦辺及び横辺で取り囲んだ開口を形成する複数のプレキャストコンクリート製八角形ブロックと、
上記八角形ブロックの斜辺と向かい合う２つの斜辺を有し、上記下梁上に横並びで配列されて、各々が該下梁と横並びで隣接する２つの該八角形ブロックとの間の梁上隙間にこれを封止すべく配設される複数のプレキャストコンクリート製梁上封止ブロックと、
上記八角形ブロックの斜辺と向かい合う２つの斜辺を有し、上記上梁下に横並びで配列されて、各々が該上梁と横並びで隣接する２つの該八角形ブロックとの間の梁下隙間にこれを封止すべく配設される複数のプレキャストコンクリート製梁下封止ブロックとを少なくとも用い、
上記下梁上で、該下梁と当該下梁上に配設される上記梁上封止ブロックとの間の横方向クリアランス、横並びで隣接する該梁上封止ブロック同士の間の縦方向クリアランス、並びに該梁上封止ブロックと上記八角形ブロックとの間の斜め方向クリアランスを、これらブロックの表面側及び裏面側からシール材でシールすることで形成した下梁上充填通路に、下方から上方へ向かって接着材を充填して、これら下梁、梁上封止ブロック及び八角形ブロックを相互に接合する下梁上施工を行い、
次いで、該下梁上施工で施工した上記八角形ブロックと他の上記八角形ブロックとの間の斜め方向クリアランスを、これら八角形ブロックの表面側及び裏面側からシール材でシールすることで形成した一般部充填通路に、下方から上方へ向かって接着材を充填して、これら八角形ブロック同士を接合する一般部施工を行い、
その後、上記上梁下で、上記一般部施工で施工した上記八角形ブロックと該上梁下に配設される上記梁下封止ブロックとの間の斜め方向クリアランス、横並びで隣接する該梁下封止ブロック同士の間の縦方向クリアランス、並びに該梁下封止ブロックと該上梁との間の横方向クリアランスを、これらブロックの表面側及び裏面側からシール材でシールすることで形成した上梁下充填通路に、下方から上方へ向かって接着材を充填して、これら上梁、梁下封止ブロック及び八角形ブロックを相互に接合する上梁下施工を行うことを特徴とする八角形ブロックを用いた壁の構築方法。
【請求項２】
前記八角形ブロック、前記梁上封止ブロック及び前記梁下封止ブロックは、それらの斜辺に傾斜方向に沿って、接着面を増加すると共に、接着材の充填を案内する条溝を有することを特徴とする請求項１に記載の八角形ブロックを用いた壁の構築方法。
【請求項３】
前記梁下封止ブロックの斜辺には、傾斜方向上側に平坦面を形成すると共に、前記八角形ブロックに向かって突出して、単一の嵌合凸部を傾斜方向に沿って形成し、
該嵌合凸部と向かい合う上記八角形ブロックの斜辺には、当該嵌合凸部に嵌合する単一の嵌合凹部を傾斜方向に沿って形成し、
これら梁下封止ブロックと八角形ブロックとの間の斜め方向クリアランスには、上記平坦面位置に連通する空気抜き部材を挿着したことを特徴とする請求項１または２に記載の八角形ブロックを用いた壁の構築方法。
【請求項４】
前記梁下封止ブロック同士の間の縦方向クリアランスと該梁下封止ブロックと前記上梁との間の横方向クリアランスとの交差位置には、これに連通する空気抜き部材を挿着したことを特徴とする請求項１から３いずれかの項に記載の八角形ブロックを用いた壁の構築方法。
【請求項５】
前記上梁には、該上梁と前記梁下封止ブロックとの間の横方向クリアランスに連通して、空気抜きするための切り欠き部を形成したことを特徴とする請求項１から４いずれかの項に記載の八角形ブロックを用いた壁の構築方法。
【請求項６】
請求項１から５いずれかの項に記載の八角形ブロックを用いた壁の構築方法によって構築される壁構造であって、
前記八角形ブロック、前記梁上封止ブロック及び前記梁下封止ブロックの互いに接合される斜辺のいずれか一方には、単一の嵌合凸部を形成し、他方の斜辺には、該嵌合凸部に嵌合する単一の嵌合凹部を形成したことを特徴とする八角形ブロックを用いた壁構造。
【発明の詳細な説明】
【技術分野】
【０００１】
本発明は、ブロックの位置調整を接着材の施工前に完了し、かつ接着材を施工する際に気泡が残留するのを抑制することが可能であって、これにより接着材の接着力が弱まってしまうことを防止でき、接合強度を高く確保することができる八角形ブロックを用いた壁の構築方法及び壁構造に関する。
【背景技術】
【０００２】
左右の柱と上下の梁で区画される開口部分にブロックを組んで構築される壁及びその構築方法として、特許文献１が知られている。特許文献１の「耐震壁およびその構築方法」は、ブロックの強度を確保しつつ、合理的に採光や通風を確保することが可能であるとともに、居ながらで施工することが可能な耐震壁およびその構築方法を提供することを課題とし、柱と梁で区画される開口部分に構築される耐震壁であって、八角形状で形成され、斜辺同士が向かい合う配列で開口部分に縦横方向に配列され互いに接合されて、縦辺および横辺で取り囲んだ開口を形成し、かつ、柱や梁に対し、縦辺や横辺が接合されるプレキャストコンクリート製八角形ブロックと、八角形ブロックの斜辺と柱や梁との間の隙間にこれを封止すべく配設され、これらに接合されるプレキャストコンクリート製封止ブロックとを備えた。八角形ブロック同士、八角形ブロックと封止ブロック、八角形ブロックと柱や梁、封止ブロックと柱や梁は、それぞれ互いに接着材で接合される。
【先行技術文献】
【特許文献】
【０００３】
【特許文献１】特開２００７−１４６４４７号公報
【発明の概要】
【発明が解決しようとする課題】
【０００４】
順次積み上げていく八角形ブロックなどのブロック同士を接着材で接着する場合、接着材を塗布した後でブロックを積んで位置の調整を行う手順となり、この位置調整のために、予め塗布しておく接着材の接着力が弱まってしまうという課題があった。また、塗布した接着材の上にブロックを積み上げる手順であると、接着面に気泡が残存し易く、残存する気泡によっても接着力が弱まってしまうという課題があった。
【０００５】
本発明は上記従来の課題に鑑みて創案されたものであって、ブロックの位置調整を接着材の施工前に完了し、かつ接着材を施工する際に気泡が残留するのを抑制することが可能であって、これにより接着材の接着力が弱まってしまうことを防止でき、接合強度を高く確保することができる八角形ブロックを用いた壁の構築方法及び壁構造を提供することを目的とする。
【課題を解決するための手段】
【０００６】
本発明にかかる八角形ブロックを用いた壁の構築方法は、左右の柱と上下の梁で区画される開口部分にブロックを積み上げて壁を構築する方法であって、八角形状で形成され、斜辺同士が向かい合う配列で上記開口部分に縦横に配設されて、縦辺及び横辺で取り囲んだ開口を形成する複数のプレキャストコンクリート製八角形ブロックと、上記八角形ブロックの斜辺と向かい合う２つの斜辺を有し、上記下梁上に横並びで配列されて、各々が該下梁と横並びで隣接する２つの該八角形ブロックとの間の梁上隙間にこれを封止すべく配設される複数のプレキャストコンクリート製梁上封止ブロックと、上記八角形ブロックの斜辺と向かい合う２つの斜辺を有し、上記上梁下に横並びで配列されて、各々が該上梁と横並びで隣接する２つの該八角形ブロックとの間の梁下隙間にこれを封止すべく配設される複数のプレキャストコンクリート製梁下封止ブロックとを少なくとも用い、上記下梁上で、該下梁と当該下梁上に配設される上記梁上封止ブロックとの間の横方向クリアランス、横並びで隣接する該梁上封止ブロック同士の間の縦方向クリアランス、並びに該梁上封止ブロックと上記八角形ブロックとの間の斜め方向クリアランスを、これらブロックの表面側及び裏面側からシール材でシールすることで形成した下梁上充填通路に、下方から上方へ向かって接着材を充填して、これら下梁、梁上封止ブロック及び八角形ブロックを相互に接合する下梁上施工を行い、次いで、該下梁上施工で施工した上記八角形ブロックと他の上記八角形ブロックとの間の斜め方向クリアランスを、これら八角形ブロックの表面側及び裏面側からシール材でシールすることで形成した一般部充填通路に、下方から上方へ向かって接着材を充填して、これら八角形ブロック同士を接合する一般部施工を行い、その後、上記上梁下で、上記一般部施工で施工した上記八角形ブロックと該上梁下に配設される上記梁下封止ブロックとの間の斜め方向クリアランス、横並びで隣接する該梁下封止ブロック同士の間の縦方向クリアランス、並びに該梁下封止ブロックと該上梁との間の横方向クリアランスを、これらブロックの表面側及び裏面側からシール材でシールすることで形成した上梁下充填通路に、下方から上方へ向かって接着材を充填して、これら上梁、梁下封止ブロック及び八角形ブロックを相互に接合する上梁下施工を行うことを特徴とする。
【０００７】
前記八角形ブロック、前記梁上封止ブロック及び前記梁下封止ブロックは、それらの斜辺に傾斜方向に沿って、接着面を増加すると共に、接着材の充填を案内する条溝を有することを特徴とする。
【０００８】
前記梁下封止ブロックの斜辺には、傾斜方向上側に平坦面を形成すると共に、前記八角形ブロックに向かって突出して、単一の嵌合凸部を傾斜方向に沿って形成し、該嵌合凸部と向かい合う上記八角形ブロックの斜辺には、当該嵌合凸部に嵌合する単一の嵌合凹部を傾斜方向に沿って形成し、これら梁下封止ブロックと八角形ブロックとの間の斜め方向クリアランスには、上記平坦面位置に連通する空気抜き部材を挿着したことを特徴とする。
【０００９】
前記梁下封止ブロック同士の間の縦方向クリアランスと該梁下封止ブロックと前記上梁との間の横方向クリアランスとの交差位置には、これに連通する空気抜き部材を挿着したことを特徴とする。
【００１０】
前記上梁には、該上梁と前記梁下封止ブロックとの間の横方向クリアランスに連通して、空気抜きするための切り欠き部を形成したことを特徴とする。
【００１１】
本発明にかかる八角形ブロックを用いた壁構造は、上記八角形ブロックを用いた壁の構築方法によって構築される壁構造であって、前記八角形ブロック、前記梁上封止ブロック及び前記梁下封止ブロックの互いに接合される斜辺のいずれか一方には、単一の嵌合凸部を形成し、他方の斜辺には、該嵌合凸部に嵌合する単一の嵌合凹部を形成したことを特徴とする。
【発明の効果】
【００１２】
本発明にかかる八角形ブロックを用いた壁の構築方法及び壁構造にあっては、ブロックの位置調整を接着材の施工前に完了し、かつ接着材を施工する際に気泡が残留するのを抑制することができ、これにより接着材の接着力が弱まってしまうことを防止でき、接合強度を高く確保することができる。
【図面の簡単な説明】
【００１３】
【図１】本発明に係る八角形ブロックを用いた壁の構築方法及び壁構造の好適な一実施形態を説明するための壁の正面図である。
【図２】図１に示した実施形態に適用される一般部八角形ブロックの斜視図である。
【図３】図１に示した実施形態に適用される上部八角形ブロックの斜視図である。
【図４】図１に示した実施形態に適用される梁上封止ブロックの斜視図である。
【図５】図１に示した実施形態に適用される梁下封止ブロックの斜視図である。
【図６】図１に示した実施形態に適用される柱際封止ブロックの斜視図である。
【図７】図１に示した実施形態に適用される下隅角封止ブロックの斜視図である。
【図８】図１に示した実施形態に適用される上隅角封止ブロックの斜視図である。
【図９】図２に示した一般部八角形ブロックの正面図である。
【図１０】図３に示した上部八角形ブロックの正面図である。
【図１１】図１に示した実施形態における下梁上充填通路の第１横方向クリアランス及び第１縦方向クリアランスへの接着材の充填施工を説明する説明図である。
【図１２】図１に示した実施形態における下梁上充填通路の第１斜め方向クリアランス、一般部充填通路、並びに下隅角封止ブロック周辺への接着材の充填施工を説明する説明図である。
【図１３】図１に示した実施形態における柱際充填通路への接着材の充填施工を説明する説明図である。
【図１４】図１に示した実施形態における上梁下充填通路への接着材の充填施工を説明する説明図である。
【図１５】図１に示した実施形態におけるシール材によるシール状況を説明する斜視図である。
【図１６】図１５中、Ａ−Ａ線矢視断面図である。
【図１７】図１に示した実施形態における閉鎖部材及び栓部材の適用の様子を示す斜視図である。
【図１８】図１に示した実施形態における一般部充填通路への接着材の充填の様子を示す要部拡大図である。
【図１９】図１８に示した一般部充填通路へ接着材を充填する様子を示す斜視図である。
【図２０】図１に示した実施形態における柱際充填通路への接着材の充填施工を説明する要部拡大図である。
【図２１】図１に示した実施形態における上梁下充填通路への接着材の充填施工を説明する要部拡大図である。
【図２２】図２１中、Ｂ−Ｂ線矢視図である。
【図２３】図１に示した実施形態における上梁下充填通路の第３斜め方向クリアランスの様子を示す要部拡大断面図である。
【図２４】図２３中、Ｃ−Ｃ線矢視断面図である。
【発明を実施するための形態】
【００１４】
以下に、本発明に係る八角形ブロックを用いた壁の構築方法及び壁構造の好適な一実施形態を、添付図面を参照して詳細に説明する。図１には、本実施形態に係る八角形ブロックを用いた壁の構築方法により構築されて完成した壁構造の正面図が示されている。
【００１５】
この壁構造は、左右の柱１と上下の梁２，３で区画される長方形状の開口部分４に、各種形態のブロックを積み上げ、接着材で接合することで構成される。接着材としては、後述するようにクリアランスに充填するものなので、エポキシ樹脂などの一般的な接着材でも、粘性の低いタイプを採用することが好ましい。開口部分４の形状は、長方形状に限らず、どのような形態であっても良い。
【００１６】
本実施形態に係る壁の構築方法及び壁構造は、開口部分４のほぼ全域にわたって積み上げられる複数の八角形ブロック６，７と、下梁３上に横並びで配列される複数の梁上封止ブロック９と、上梁２下に横並びで配列される複数の梁下封止ブロック１０と、左右の柱１側方に縦並びで配列される複数の柱際封止ブロック１８と、柱１と下梁３で挟まれた下隅角部に配置される２つの下隅角封止ブロック２１と、柱１と上梁２で挟まれた上隅角部に配置される２つの上隅角封止ブロック２２とを用い、これらを順次積み上げることで構成される。これらブロックはいずれも、プレキャストコンクリート製で形成される。
【００１７】
各八角形ブロック６，７は、外形輪郭が八角形状で形成され、上下及び左右に隣接する八角形ブロック６，７同士は必ず、互いの斜辺ｓ同士が向かい合う配列で開口部分４に縦横に配設され、斜辺ｓ同士が接着材で接合される。
【００１８】
各八角形ブロック６，７の斜辺ｓ間に位置する縦辺ｙ及び横辺ｘは、非接合部とされ、例えば縦辺ｙは、右側や左側に隣接して配設される他の３つの八角形ブロック６，７の２つの横辺ｘ及び１つの縦辺ｙと共にこれらで取り囲んで、あるいは横辺ｘの場合には、上側や下側に隣接して配設される他の３つの八角形ブロック６，７の１つの横辺ｘ及び２つの縦辺ｙと共にこれらで取り囲んで、八角形ブロック６，７同士の間に、採光用や通風用の正方形状の開口８を形成する。開口８には、ガラスブロックなどを嵌め込んでも良い。
【００１９】
図２及び図３には、八角形ブロック６，７が示されている。図３の八角形ブロック（以下、上部八角形ブロックという）７は、梁下封止ブロック１０及び上隅角封止ブロック２２との接合に用いられる。図２の八角形ブロック（以下、一般部八角形ブロックという）６は、その他の一般部分に用いられる。
【００２０】
いずれの八角形ブロック６，７も、斜辺（傾斜面）ｓには、傾斜方向に沿って、接着材の充填を案内するための条溝１２が形成される。特に本実施形態では、粘性の低い接着材を採用していて、接着強度を増強するために接着面を増加する目的で条溝１２が形成される。斜辺ｓのうち、八角形状の上側の２つの上側斜辺（傾斜面）ｓａには、その上に搭載される他のブロックとの間に接着材を充填するためのクリアランスを確保するために、高さ調整可能にねじ込まれるネジなどのスペーサ２３が設けられる。スペーサ２３は、八角形状下側の斜辺（傾斜面）ｓｂに設けるようにしても良い。
【００２１】
図示例にあっては、八角形ブロック６，７は、外周縁部が厚肉で、中央部が薄肉に形成されている。中央部に貫通孔を形成しても良い。
【００２２】
図２に示した一般部八角形ブロック６は、図９にも示すように、２つの上側斜辺（傾斜面）ｓａそれぞれに、単一の嵌合凸部１４が傾斜方向に沿って形成され、２つの下側斜辺（傾斜面）ｓｂそれぞれに、単一の嵌合凹部１５が傾斜方向に沿って形成される。
【００２３】
互いに接合される斜辺ｓ同士が向かい合う配列で、一方の一般部八角形ブロック６の上に他方の一般部八角形ブロック６を積み上げる際、下になる一方の一般部八角形ブロック６の上側斜辺ｓａの嵌合凸部１４が、上になる他方の一般部八角形ブロック６の下側斜辺ｓｂの嵌合凹部１５に嵌合される。
【００２４】
図３に示した上部八角形ブロック７は、図１０にも示すように、すべての斜辺ｓ（傾斜面）それぞれに、単一の嵌合凹部１５が傾斜方向に沿って形成される。互いに接合される斜辺ｓ同士が向かい合う配列で、一般部八角形ブロック６の上に上部八角形ブロック７を積み上げる際、下になる一般部八角形ブロック６の上側斜辺ｓａの嵌合凸部１４が、上になる上部八角形ブロック７の下側斜辺ｓｂの嵌合凹部１５に嵌合される。
【００２５】
また、上部八角形ブロック７の上に梁下封止ブロック１０や上隅角封止ブロック２２を積み上げる際、下になる上部八角形ブロック７の上側斜辺ｓａの嵌合凹部１５には、後述する梁下封止ブロック１０や上隅角封止ブロック２２に形成される嵌合凸部１４が嵌合される。
【００２６】
図４には、梁上封止ブロック９が示されている。各梁上封止ブロック９は、横並びで隣接する２つの一般部八角形ブロック６と下梁３との間の梁上隙間にこれを封止すべく配設される。各梁上封止ブロック９は、台部９ａと台部９ａから隆起する台形部９ｂとから構成される。台部９ａが下梁３上面に接着材で接合される。台形部９ｂは、隣り合う２つの一般部八角形ブロック６の間に位置し、これら一般部八角形ブロック６の各下側斜辺ｓｂと向かい合う２つの斜辺９ｓを有する。
【００２７】
梁上封止ブロック９は、２つの斜辺９ｓが接着材で、２つの一般部八角形ブロック６の各下側斜辺ｓｂと接合される。梁上封止ブロック９の台形部９ｂの上底の寸法は、八角形ブロック６，７の横辺ｘの寸法で、斜辺９ｓの寸法は、八角形ブロック６，７の斜辺ｓの寸法で、台部９ａの長さ寸法は、横並びの２つの八角形ブロック６，７の横辺ｘ中央部間に亘る寸法（八角形ブロックの横幅＋横辺）で形成される。
【００２８】
梁上封止ブロック９の斜辺９ｓ（傾斜面）には、傾斜方向に沿って、接着面を増加すると共に接着材の充填を案内するための条溝１２が形成される。斜辺９ｓ（傾斜面）には、その上に搭載される一般部八角形ブロック６との間に接着材を充填するためのクリアランスを確保するために、高さ調整可能にねじ込まれるネジなどのスペーサ２３が設けられる。台部９ａの底面にも、下梁３との間に接着材を充填するためのクリアランスを確保するために、同様のスペーサ２３が設けられる。
【００２９】
２つの斜辺９ｓ（傾斜面）にはそれぞれ、単一の嵌合凸部１４が傾斜方向に沿って形成される。互いに接合される斜辺ｓｂ，９ｓ同士が向かい合う配列で、梁上封止ブロック９の上に一般部八角形ブロック６を積み上げる際、下になる梁上封止ブロック９の斜辺９ｓの嵌合凸部１４が、上になる一般部八角形ブロック６の下側斜辺ｓｂの嵌合凹部１５に嵌合される。
【００３０】
図５には、梁下封止ブロック１０が示されている。各梁下封止ブロック１０は、横並びで隣接する２つの上部八角形ブロック７と上梁２との間の梁下隙間にこれを封止すべく配設される。各梁下封止ブロック１０は、台部１０ａと台部１０ａから隆起する台形部１０ｂとから構成される。台部１０ａが上梁２下面に接着材で接合される。台形部１０ｂは、隣り合う２つの上部八角形ブロック７の間に位置し、これら上部八角形ブロック７の各上側斜辺ｓａと向かい合う２つの斜辺１０ｓを有する。
【００３１】
梁下封止ブロック１０は、２つの斜辺１０ｓが接着材で、２つの上部八角形ブロック７の各上側斜辺ｓａと接合される。梁下封止ブロック１０の台形部１０ｂの下底の寸法は、八角形ブロック６，７の横辺ｘの寸法で、斜辺１０ｓの寸法は、八角形ブロックの斜辺ｓの寸法で、台部１０ａの長さ寸法は、横並びの２つの八角形ブロック６，７の横辺ｘ中央部間に亘る寸法（八角形ブロックの横幅＋横辺）で形成される。
【００３２】
梁下封止ブロック１０の斜辺１０ｓ（傾斜面）には、傾斜方向上側を除き、傾斜方向に沿って、接着面を増加すると共に接着材の充填を案内するための条溝１２が形成される。斜辺１０ｓ（傾斜面）の傾斜方向上側は、空気抜きのために平坦面１３で形成される。
【００３３】
２つの斜辺１０ｓ（傾斜面）にはそれぞれ、下方に位置する上部八角形ブロック７の上側斜辺ｓａに向かって突出させて、単一の嵌合凸部１４が傾斜方向に沿って形成され、上述した上部八角形ブロック７の上側斜辺ｓａの嵌合凹部１５は、当該嵌合凸部１４と向かい合う。互いに接合される斜辺ｓ、１０ｓ同士が向かい合う配列で、上部八角形ブロック７の上に梁上封止ブロック１０を積み上げる際、下になる上部八角形ブロック７の上側斜辺ｓａの嵌合凹部１５に、上になる梁上封止ブロック１０の斜辺１０ｓの嵌合凸部１４が嵌合される。
【００３４】
図６には、柱際封止ブロック１８が示されている。各柱際封止ブロック１８は、縦並びで隣接する上下２つの一般部八角形ブロック６，６同士や一般部八角形ブロック６及び上部八角形ブロック７と、柱１との間の柱際隙間にこれを封止すべく配設される。各柱際封止ブロック１８は、台部１８ａと台部１８ａから隆起する台形部１８ｂとから構成される。台部１８ａが柱１側面に接着材で接合される。台形部１８ｂは、隣り合う上下２つの八角形ブロック６，７の間に位置し、これら八角形ブロック６，７の上側斜辺ｓａ及び下側斜辺ｓｂにそれぞれ向かい合う、下側斜辺１８ｓｂ及び上側斜辺１８ｓａを有する。
【００３５】
柱際封止ブロック１８は、２つの斜辺１８ｓａ，１８ｓｂが上下２つの八角形ブロック６，７の上側斜辺ｓａ及び下側斜辺ｓｂと接着材で接合される。柱際封止ブロック１８の台形部１８ｂの上底の寸法は、八角形ブロック６，７の縦辺ｙの寸法で、斜辺１８ｓａ，１８ｓｂの寸法は、八角形ブロック６，７の斜辺ｓの寸法で、台部１８ａの長さ寸法は、縦並びの２つの八角形ブロック６，７の縦辺ｙ中央部間に亘る寸法（八角形ブロックの縦幅＋縦辺）で形成される。
【００３６】
柱際封止ブロック１８の斜辺１８ｓａ，１８ｓｂ（傾斜面）には、傾斜方向に沿って、接着面を増加すると共に接着材の充填を案内するための条溝１２が形成される。下方に位置する八角形ブロック６に面する下側斜辺１８ｓｂ（傾斜面）の傾斜方向上側は、空気抜きのために平坦面３０で形成される。上側斜辺１８ｓａ（傾斜面）には、その上に搭載される八角形ブロック６，７との間に接着材を充填するためのクリアランスを確保するために、高さ調整可能にねじ込まれるネジなどのスペーサ２３が設けられる。台部１８ａの底面にも、柱１との間に接着材を充填するためのクリアランスを確保するために、同様のスペーサ２３が設けられる。
【００３７】
上側斜辺１８ｓａ（傾斜面）には、単一の嵌合凸部１４が傾斜方向に沿って形成され、下側斜辺１８ｓｂ（傾斜面）には、単一の嵌合凹部１５が傾斜方向に沿って形成される。互いに接合される斜辺１８ｓａ，１８ｓｂ，ｓａ，ｓｂ同士が向かい合う配列で、柱際封止ブロック１８を八角形ブロック６，７に対し積み上げる際、下になる八角形ブロック６の上側斜辺ｓａの嵌合凸部１４が、上になる柱際封止ブロック１８の下側斜辺１８ｓｂの嵌合凹部１５に嵌合され、また、この柱際封止ブロック１８の上側斜辺１８ｓａの嵌合凸部１４が、その上になる他の八角形ブロック６，７の下側斜辺ｓｂの嵌合凹部１５に嵌合される。
【００３８】
図７には、下隅角封止ブロック２１が示されている。各下隅角封止ブロック２１は、柱１、下梁３及び一般部八角形ブロック６で取り囲まれる下隅角隙間にこれを封止すべく配設される。各下隅角封止ブロック２１は、縦片部２１ａ及び横片部２１ｂからなるＬ字状の台部と、縦片部２１ａ及び横片部２１ｂ間に形成した傾斜部２１ｃとから構成される。台部の縦片部２１ａが柱１側面に、横片部２１ｂが下梁３上面に接着材で接合される。
【００３９】
傾斜部２１ｃは、一般部八角形ブロック６の下側斜辺ｓｂと向かい合う斜辺２１ｓを有し、この斜辺２１ｓが一般部八角形ブロック６の下側斜辺ｓｂと接着材で接合される。下隅角封止ブロック２１の縦片部２１ａの寸法は、八角形ブロック６の縦幅の１／２と梁上封止ブロック９の台部９ａの高さとの和で、横片部２１ｂの寸法は、八角形ブロック６の横幅の１／２と柱際封止ブロック１８の台部１８ａの高さとの和で、傾斜部２１ｃの寸法は、八角形ブロック６の斜辺ｓの寸法で形成される。
【００４０】
下隅角封止ブロック２１の斜辺２１ｓ（傾斜面）には、傾斜方向に沿って、接着面を増加すると共に接着材の充填を案内するための条溝１２が形成される。斜辺２１ｓ（傾斜面）には、その上に搭載される一般部八角形ブロック６との間に接着材を充填するためのクリアランスを確保するために、高さ調整可能にねじ込まれるネジなどのスペーサ２３が設けられる。縦片部２１ａ及び横片部２１ｂにも、柱１や下梁３との間に接着材を充填するためのクリアランスを確保するために、同様のスペーサ２３が設けられる。
【００４１】
斜辺２１ｓ（傾斜面）には、単一の嵌合凸部１４が傾斜方向に沿って形成される。互いに接合される斜辺ｓ，２１ｓ同士が向かい合う配列で、下隅角封止ブロック２１の上に一般部八角形ブロック６を積み上げる際、下になる下隅角封止ブロック２１の斜辺２１ｓの嵌合凸部１４が、上になる一般部八角形ブロック６の下側斜辺ｓｂの嵌合凹部１５に嵌合される。
【００４２】
図８には、上隅角封止ブロック２２が示されている。各上隅角封止ブロック２２は、柱１、上梁２及び上部八角形ブロック７で取り囲まれる上隅角隙間にこれを封止すべく配設される。各上隅角封止ブロック２２は、縦片部２２ａ及び横片部２２ｂからなるＬ字状の台部と、縦片部２２ａ及び横片部２２ｂ間に形成した傾斜部２２ｃとから構成される。台部の縦片部２２ａが柱１側面に、横片部２２ｂが上梁２下面に接着材で接合される。
【００４３】
傾斜部２２ｃは、上部八角形ブロック７の上側斜辺ｓａと向かい合う斜辺２２ｓを有し、この斜辺２２ｓが上部八角形ブロック７の上側斜辺ｓａと接着材で接合される。上隅角封止ブロック２２の縦片部２２ａの寸法は、上部八角形ブロック７の縦幅の１／２と梁下封止ブロック１０の台部１０ａの高さとの和で、横片部２２ｂの寸法は、上部八角形ブロック７の横幅の１／２と柱際封止ブロック１８の台部１８ａの高さとの和で、傾斜部２２ｓの寸法は、上部八角形ブロック７の斜辺ｓの寸法で形成される。
【００４４】
上隅角封止ブロック２２の斜辺２２ｓ（傾斜面）には、傾斜方向上側を除き、傾斜方向に沿って、接着面を増加すると共に接着材の充填を案内するための条溝１２が形成される。斜辺２２ｓ（傾斜面）の傾斜方向上側は、空気抜きのために平坦面１３で形成される。少なくとも縦片部２２ａには、柱１との間に接着材を充填するためのクリアランスを確保するために、高さ調整可能なスペーサ２３が設けられる。
【００４５】
斜辺２２ｓ（傾斜面）には、下方に位置する上部八角形ブロック７の上側斜辺ｓａに向かって突出させて、単一の嵌合凸部１４が傾斜方向に沿って形成され、上述した上部八角形ブロック７の上側斜辺ｓａの嵌合凹部１５は、当該嵌合凸部１４と向かい合う。互いに接合される斜辺ｓ，２２ｓ同士が向かい合う配列で、上部八角形ブロック７の上に上隅角封止ブロック２２を積み上げる際、下になる上部八角形ブロック７の上側斜辺ｓａの嵌合凹部１５に、上になる上隅角封止ブロック２２の斜辺２２ｓの嵌合凸部１４が嵌合される。
【００４６】
図１に示すように、壁５の中央部では、下梁３上に梁上封止ブロック９を設置し、梁上封止ブロック９の上に一般部八角形ブロック６を積み上げ、一般部八角形ブロック６を積み上げることを繰り返してその上に上部八角形ブロック７を積み、上部八角形ブロック７の上であって上梁２下に梁下封止ブロック１０が積まれる。
【００４７】
また、壁５の柱１際では、下隅角部において、梁上封止ブロック９の隣に位置させて下梁３上に下隅角封止ブロック２１を設置し、その上に一般部八角形ブロック６を積み、その後、一般部八角形ブロック６の上に柱際封止ブロック１８を積み上げることを繰り返し、上隅角部では、柱際封止ブロック１８の上に上部八角形ブロック７を積み、その後、梁下封止ブロック１０の隣に位置させて上梁２下に上隅角封止ブロック２２が積まれる。
【００４８】
２つの下隅角封止ブロック２１及び２つの上隅角封止ブロック２２は、梁上封止ブロック９及び梁下封止ブロック１０と共に、開口部分４の横方向に連続して配列される。また、柱１側方で、上下の下隅角封止ブロック２１と上隅角封止ブロック２２は、柱際封止ブロック１８と共に、開口部分４の縦方向に連続して配列される。
【００４９】
このようにしてブロックを積み上げると、図１１に示すように、下梁３上で、下梁３と下梁３上に配設される梁上封止ブロック９及び下隅角封止ブロック２１の間には、スペーサ２３を介して、開口部分４の長さ方向に沿って一連に第１横方向クリアランスＣＴ１が形成される。横並びで隣接する梁上封止ブロック９同士及び下隅角封止ブロック２１の間には、第１縦方向クリアランスＣＶ１が設定される。図１２〜図１４に示すように、梁上封止ブロック９及び下隅角封止ブロック２１と一般部八角形ブロック６との間には、スペーサ２３を介して、第１斜め方向クリアランスＣＳ１が形成される。
【００５０】
これら第１横方向クリアランスＣＴ１、第１縦方向クリアランスＣＶ１及び第１斜め方向クリアランスＣＳ１は、後述するエポキシ樹脂製のシール材１１でシールされることによって、下梁上充填通路Ｐ１を形成する。
【００５１】
一般部八角形ブロック６同士、並びに一般部八角形ブロック６と上部八角形ブロック７の間には、スペーサ２３を介して、第２斜め方向クリアランスＣＳ２が形成される。第２斜め方向クリアランスＣＳ２は、シール材１１でシールされることによって、一般部充填通路Ｐ２を形成する。
【００５２】
また、図１４に示すように、上梁２下で、上部八角形ブロック７と上梁２下に配設される梁下封止ブロック１０及び上隅角封止ブロック２２との間には、スペーサー２３を介して、第３斜め方向クリアランスＣＳ３が形成される。横並びで隣接する梁下封止ブロック１０同士及び上隅角封止ブロック２２の間には、第２縦方向クリアランスＣＶ２が設定される。梁下封止ブロック１０及び上隅角封止ブロック２２と上梁２との間には、開口部分４の長さ方向に沿って一連に第２横方向クリアランスＣＴ２が設定される。
【００５３】
これら第２横方向クリアランスＣＴ２、第２縦方向クリアランスＣＶ２及び第３斜め方向クリアランスＣＳ３は、シール材１１でシールされることによって、上梁下充填通路Ｐ３を形成する。
【００５４】
柱１側方では、図１３に示すように、縦並びで隣接する柱際封止ブロック１８同士及び上隅角封止ブロック２２の間に、八角形ブロック６，７のスペーサ２３によって、第３横方向クリアランスＣＴ３が形成される。第３横方向クリアランスＣＴ３を挟む上下位置関係において、下方の柱際封止ブロック１８とその上に積まれる八角形ブロック６，７との間にあって下方から当該横方向クリアランスＣＴ３に連通する下位置斜め方向クリアランスＣＳ４がスペーサ２３によって形成される。
【００５５】
また、下位置斜め方向クリアランスＣＳ４を形成する当該八角形ブロック６，７と上方の柱際封止ブロック１８との間にあって当該第３横方向クリアランスＣＴ３から上方へ向かう上位置斜め方向クリアランスＣＳ５がスペーサ２３によって形成される。当該上方の柱際封止ブロック１８と柱１との間にあって当該第３横方向クリアランスＣＴ３から上方へ向かう第３縦方向クリアランスＣＶ３がスペーサ２３によって形成される。
【００５６】
特に、柱１側面と柱際封止ブロック１８及び上・下隅角封止ブロック２１，２２との間には、開口部分４の高さ方向に沿って一連に第３縦方向クリアランスＣＶ３が形成されるが、ブロックを積み上げていく施工手順との関係で、第３縦方向クリアランスＣＶ３は積み上げの進捗に従って順次形成されていく。
【００５７】
これら第３横方向クリアランスＣＴ３、第３縦方向クリアランスＣＶ３、下位置斜め方向クリアランスＣＳ４及び上位置斜め方向クリアランスＣＳ５は、シール材１１でシールされることによって、柱際充填通路Ｐ４を形成する。
【００５８】
各種ブロック同士及びこれらブロックと上下の梁２，３や左右の柱１との接合はクリアランスへ接着材を充填することで行われる。接着材をクリアランスへ充填する前に、積み上げたブロック同士等の間のクリアランスは図１５及び図１６に示すように、ブロックの表面側及び裏面側からシール材１１を施工することでシールされ、これにより充填通路Ｐ１〜Ｐ４が形成される。
【００５９】
図１６には、一般部八角形ブロック６同士の接合箇所のように、斜辺ｓ全体に条溝１２を形成した部分が示されている。条溝１２は、接着面を増加すると共に接着材を斜辺ｓの傾斜方向に沿って案内して、接着強度を確保すると同時に、接着材の充填を円滑化し、そしてまた、クリアランスから空気をスムーズに排出して気泡が残留することを抑制する。
【００６０】
また、図１７に示すように、クリアランスからの空気の排出と、接着材の充填確認に加えて、充填確認後に、接着材を充填通路内の各所へさらに充填していく操作を可能とするために、空気抜き穴１９ａ付きの閉鎖部材１９が用いられる。図示例にあっては、閉鎖部材１９は、Ｌ字形状のアルミ製アングル材で構成される。
【００６１】
閉鎖部材１９を充填通路を形成するクリアランスの上方開放部に適宜に配置することで、充填通路内の空気を空気抜き穴１９ａから排出し、接着材が空気抜き穴１９ａから溢流することで充満されたことを確認し、その後、空気抜き穴１９ａを着脱自在な栓部材２０で塞ぐことにより、当該閉鎖部材１９の設置位置よりも高い位置へ接着材を充填していくことができる。
【００６２】
なお、空気は高いところに集まることから、空気抜き穴１９ａは嵌合凹部１５の底付近（閉鎖部材１９の上部側）に設けることが望ましい。
【００６３】
図１１及び図１２を使用して、下梁３上で、梁上封止ブロック９、下隅角封止ブロック２１及び一般部八角形ブロック６を積み上げて形成される下梁上充填通路Ｐ１を用いて行う下梁上施工を説明する。
【００６４】
図１１に示すように、梁上封止ブロック９及び下隅角封止ブロック２１と下梁３との間の第１横方向クリアランスＣＴ１に対し、開口部分４の一方の柱１際に挿着した注入パイプ２４から他方の柱１際に向けて、一連に接着材を充填する。この際、第１縦方向クリアランスＣＶ１の上方開放部に、空気抜きパイプ２５を挿着し、空気抜きを行う。
【００６５】
接着材は、第１横方向クリアランスＣＴ１及び第１縦方向クリアランスＣＶ１に充満すると、空気抜きパイプ２５から溢流し、充填を確認することができる。また、柱１と下隅角封止ブロック２１との間にも、接着材が充満し、この充満は下隅角封止ブロック２１の上方開放部からの溢流で確認できる。
【００６６】
次に、図１２に示すように、梁上封止ブロック９の上に一般部八角形ブロック６を積み、第１縦方向クリアランスＣＶ１の上方開放部に注入パイプ２４を挿着し、第１斜め方向クリアランスＣＳ１に対し、下方から上方へ向かって接着材を充填する。
【００６７】
接着材は、第１斜め方向クリアランスＣＳ１に充満すると、一般部八角形ブロック６の斜辺ｓの上方開放部から溢流し、充満を確認することができる。
【００６８】
下隅角封止ブロック２１周辺については、下隅角封止ブロック２１と一般部八角形ブロック６の上に、一番下となる柱際封止ブロック１８を載せると共に、当該下隅角封止ブロック２１の上方開放部に注入パイプ２４を挿着し、この注入パイプ２４により下方から上方へ向かって接着材を充填する。この際、充填前に、一般部八角形ブロック６と柱際封止ブロック１８の間の斜辺ｓ，１８ｓの上方開放部に、空気抜き穴付きの閉鎖部材１９を取り外し可能に装着しておく。
【００６９】
接着材は、一般部八角形ブロック６と柱際封止ブロック１８の間の斜辺ｓ，１８ｓ及び柱１側方の第３縦方向クリアランスＣＶ３を上昇し、まず、斜辺ｓ，１８ｓの上方開放部の閉鎖部材１９の空気抜き穴１９ａから溢流する。
【００７０】
溢流したら、空気抜き穴１９ａを栓部材２０で塞ぐ。塞いだ後、再度接着材を充填すると、今度は接着材は、第３縦方向クリアランスＣＶ３に沿ってさらに上昇して柱際封止ブロック１８の上方開放部から溢流し、これにより下隅角封止ブロック２１を基点として、一番下の一般部八角形ブロック６及び柱際封止ブロック１８周りに対する接着材の充満を確認することができる。
【００７１】
下梁上充填通路Ｐ１に下方から上方へ向かって接着材を充填することで、下梁３、梁上封止ブロック９、下隅角封止ブロック２１及び一般部八角形ブロック６相互を接合する下梁上施工を完了することができる。また、柱際充填通路Ｐ４下に対する接着材の充填も終えておくことができる。
【００７２】
次に、図１２を使用して、下梁上施工で施工した一番下の一般部八角形ブロック６から上部八角形ブロック７までを積み上げて形成される一般部充填通路Ｐ２を用いて行う一般部施工を説明する。
【００７３】
図１８に示すように、第２斜め方向クリアランスＣＳ２の下方開放部に注入パイプ２４を挿着し、この注入パイプ２４で下方から上方へ向かって接着材を充填する。接着材は条溝１２に案内されて上昇し、空気が第２斜め方向クリアランスＣＳ２の上方開放部から抜け切ったことで、当該上方開放部から溢流するので、これにより充満を確認することができる。
【００７４】
一般部充填通路Ｐ２に下方から上方へ向かって接着材を充填することで、八角形ブロック６，７同士を接合する一般部施工を完了することができる。
【００７５】
次に、図１３を使用して、一般部八角形ブロック６と柱１との間で柱際封止ブロック１８を積み上げて形成される柱際充填通路Ｐ４を用いて行う柱際施工を説明する。
【００７６】
図２０に、柱際施工箇所の要部が示されている。充填作業の前に、下位置斜め方向クリアランスＣＳ４の下方開放部に注入パイプ２４を、第３縦方向クリアランスＣＶ３に、第３横方向クリアランスＣＴ３よりも僅かに下方に位置させて、空気抜きパイプ２５を挿着すると共に、上位置斜め方向クリアランスＣＳ５の上方開放部に、空気抜き穴付き閉鎖部材１９を取り外し可能に装着する。次いで、注入パイプ２４から接着材を充填する。
【００７７】
接着材は、下位置斜め方向クリアランスＣＳ４に下方から上方に向かって流入し、第３横方向クリアランスＣＴ３へ回り込んで、空気抜きパイプ２５から溢流する。溢流によってこれらクリアランスＣＳ４，ＣＴ３への充満を確認することができる。
【００７８】
次いで、空気抜きパイプ２５を封鎖し、さらに注入パイプ２４から接着材を充填する。接着材は今度は、上位置斜め方向クリアランスＣＳ５と第３縦方向クリアランスＣＶ３の双方に、下方から上方へ向かって流入する。接着材は、上位置斜め方向クリアランスＣＳ５の上方開放部に達すると、閉鎖部材１９の空気抜き穴１９ａから溢流し、これにより上位置斜め方向クリアランスＣＳ５への充填を確認することができる。
【００７９】
この際、下側となる八角形ブロック６には上向き凸の嵌合凸部１４が、上側になる柱際封止ブロック１８の下側斜辺１８ｓｂには嵌合凹部１５が形成されている。また、下側斜辺１８ｓｂの傾斜方向上側には平坦面３０が形成されている。接着材を充填していくと、軽い空気は、接着材によって押し上げられブロックの表面側及び裏面側から嵌合凹部１５へ向かって集められ、また、平坦部３０では条溝１２がないために、上位置斜め方向クリアランスＣＳ５内をスムーズに流れて、嵌合凸部１４に沿って閉鎖部材１９の空気抜き穴１９ａへ向かって円滑に押し出されて排出することができ、ブロックを表・裏面側からシール材１１でシールしても、気泡溜まりが生じることなく、密実に接着材を充填することができる。このような作用は、図１２に示した施工段階における同様の部位でも同じように確保することができる。
【００８０】
次いで、空気抜き穴１９ａを栓部材２０で封鎖し、さらに注入パイプ２４から接着材を充填する。接着材は、第３縦方向クリアランスＣＶ３を下方から上方へ向かって上昇し、柱際封止ブロック１８の上方開放部から溢流する。これにより、柱際充填通路Ｐ４全体への接着材の充填を確認することができる。
【００８１】
柱際充填通路Ｐ４に下方から上方へ向かって接着材を充填することで、柱１、柱際封止ブロック１８及び一般部八角形ブロック６相互を接合する柱際施工を完了することができる。
【００８２】
次に、図１４を使用して、一般部施工で施工した上部八角形ブロック７に対し、上梁２下で、梁下封止ブロック１０及び上隅角封止ブロック２２を積み上げて形成される上梁下充填通路Ｐ３を用いて行う上梁下施工を説明する。
【００８３】
上部八角形ブロック７と梁下封止ブロック１０との間の第３斜め方向クリアランスＣＳ３及び梁下封止ブロック１０同士の間の第２縦方向クリアランスＣＶ２へ接着材を充填する際には、空気抜きを確保するために、図２１及び図２２に示すように、第３斜め方向クリアランスＣＳ３の上方開放部近傍及び第２縦方向クリアランスＣＶ２と第２横方向クリアランスＣＴ２との交差位置に、これらにそれぞれ連通させて、ブロックの表面側及び裏面側から空気抜き部材１６が挿着される。
【００８４】
また、第３斜め方向クリアランスＣＳ３については、図２３及び図２４に示すように、空気抜き部材１６への空気流動性を確保するために、梁下封止ブロック１０には、平坦面１３が形成され、空気抜き部材１６は、この平坦面１３箇所に連通させて挿着される。平坦面１３は、上述したように、斜辺１０ｓの傾斜方向上側にのみ形成され、斜辺１０ｓの傾斜方向下側では条溝１２同士が向かい合っている。
【００８５】
条溝１２で下方から上方へ案内される接着材により、第３斜め方向クリアランスＣＳ３を上昇する空気は、平坦部１３では条溝１２がないために、ブロックの表裏方向へ向かってスムーズに流れて排出されるようになっている。
【００８６】
また、図２１〜図２４に示すように、上梁２下では、下側となる上部八角形ブロック７には嵌合凹部１５が、上側になる梁下封止ブロック１０には嵌合凸部１４が形成されている。例えば図１６に示した他の部分のように、嵌合凸部１４が下側で嵌合凹部１５が上側の関係であると、軽い空気は接着材によって押し上げられ上方の嵌合凹部１５内に溜まってしまって排出されにくいが、上梁２下では図２４に示すように、嵌合凸部１４が上側で下向きに凸となるようにしたことから、押し上げられる空気をブロックの表裏方向へ向かって横方向へ押し出すことができ、空気をきわめて円滑に空気抜き部材１６から排出することができる。
【００８７】
接着材を第３斜め方向クリアランスＣＳ３の下方開放部に挿着した注入パイプ２４から充填する。接着材は、第３斜め方向クリアランスＣＳ３に下方から上方に向かって上昇し、空気は接着材で押し出されて、２つの空気抜き部材１６から排出される。
【００８８】
接着材は、第３斜め方向クリアランスＣＳ３の上方開放部の空気抜き部材１６に達すると、これより溢流し、これにより第３斜め方向クリアランスＣＳ３に充満したことを確認することができる。
【００８９】
次いで、溢流が生じた空気抜き部材１６を封鎖し、さらに接着材を充填すると、今度は第２縦方向クリアランスＣＶ２と第２横方向クリアランスＣＴ２の交差位置に挿着した空気抜き部材１６から接着材が溢流し、これにより第２縦方向クリアランスＣＶ２への接着材の充満を確認することができる。
【００９０】
上隅角封止ブロック２２周辺に対する接着材の充填は、上記柱際充填通路Ｐ４と同様に施工されるが、図２１〜２４に示したように、上記空気抜き部材１６を第３縦方向クリアランスＣＶ３の上方開放部、上位置斜め方向クリアランスＣＳ５及び上記交差位置へ挿着することと、上部八角形ブロック７の嵌合凹部１５に上隅角封止ブロック２２の嵌合凸部１４を嵌合することとで、ブロックの表面側及び裏面側から空気を円滑に排出することができるようになっている。
【００９１】
最後に、第２横方向クリアランスＣＴ２へ接着材を充填する施工を行う。上梁２には、少なくとも当該施工前に、図２１及び図２２に示すように、第２横方向クリアランスＣＴ２と連通してこれより空気抜きするための切り欠き部１７が複数形成される。図示例にあっては、おおよそ梁下封止ブロック１０の台部１０ａ位置に対応させて、上梁２にその幅方向両側から切り欠き部１７が形成されている。
【００９２】
接着材は、開口部分４の一方の柱１際に挿着した注入パイプ２４から他方の柱１際に向けて、一連に充填する。接着材は、第２横方向クリアランスＣＴ２に充満すると、切り欠き部１７から溢流し、充填を確認することができる。なお、複数の切り欠き部１７からは順次接着材が溢流するので、溢流があった切り欠き部１７は順次封鎖していく。
【００９３】
上梁下充填通路Ｐ３に下方から上方へ向かって接着材を充填することで、上梁２、梁下封止ブロック１０、上隅角封止ブロック２２及び上部八角形ブロック７相互を接合する上梁下施工を完了することができる。施工完了時には、挿着等した空気抜きパイプ２５や注入パイプ２４、空気抜き部材１６、閉鎖部材１９を全て撤去する。
【００９４】
以上説明した本実施形態に係る八角形ブロック６，７を用いた壁５の構築方法及び壁構造にあっては、左右の柱１と上下の梁２，３で区画される開口部分４にブロックを積み上げて壁５を構築する方法であって、八角形状で形成され、斜辺ｓ同士が向かい合う配列で開口部分４に縦横に配設されて、縦辺ｙ及び横辺ｘで取り囲んだ開口８を形成する複数のプレキャストコンクリート製八角形ブロック６，７と、一般部八角形ブロック６の斜辺ｓと向かい合う２つの斜辺９ｓを有し、下梁３上に横並びで配列されて、各々が下梁３と横並びで隣接する２つの一般部八角形ブロック６との間の梁上隙間にこれを封止すべく配設される複数のプレキャストコンクリート製梁上封止ブロック９と、上部八角形ブロック７の斜辺ｓと向かい合う２つの斜辺１０ｓを有し、上梁２下に横並びで配列されて、各々が上梁２と横並びで隣接する２つの上部八角形ブロック７との間の梁下隙間にこれを封止すべく配設される複数のプレキャストコンクリート製梁下封止ブロック１０とを少なくとも用い、下梁２上で、下梁２と当該下梁２上に配設される梁上封止ブロック１０との間の第１横方向クリアランスＣＴ１、横並びで隣接する梁上封止ブロック９同士の間の第１縦方向クリアランスＣＶ１、並びに梁上封止ブロック９と一般部八角形ブロック６との間の第１斜め方向クリアランスＣＳ１を、これらブロックの表面側及び裏面側からシール材１１でシールすることで形成した下梁上充填通路Ｐ１に、下方から上方へ向かって接着材を充填して、これら下梁２、梁上封止ブロック９及び一般部八角形ブロック６を相互に接合する下梁上施工を行い、次いで、下梁上施工で施工した一般部八角形ブロック６と他の八角形ブロック６，７との間の第２斜め方向クリアランスＣＳ２を、これら八角形ブロック６，７の表面側及び裏面側からシール材１１でシールすることで形成した一般部充填通路Ｐ２に、下方から上方へ向かって接着材を充填して、これら八角形ブロック６，７同士を接合する一般部施工を行い、その後、上梁２下で、一般部施工で施工した上部八角形ブロック７と上梁２下に配設される梁下封止ブロック１０との間の第３斜め方向クリアランスＣＳ３、横並びで隣接する梁下封止ブロック１０同士の間の第２縦方向クリアランスＣＶ２、並びに梁下封止ブロック１０と上梁２との間の第２横方向クリアランスＣＴ２を、これらブロックの表面側及び裏面側からシール材１１でシールすることで形成した上梁下充填通路Ｐ３に、下方から上方へ向かって接着材を充填して、これら上梁２、梁下封止ブロック１０及び上部八角形ブロック７を相互に接合する上梁下施工を行うようにしたので、ブロックの位置調整を接着材の施工前に完了し、かつ接着材を施工する際に気泡が残留するのを抑制することができて、これにより接着材の接着力が弱まってしまうことを防止でき、接合強度を高く確保することができる。
【００９５】
全てのブロックは、それらの斜辺に傾斜方向に沿って、接着面を増加すると共に、接着材の充填を案内する条溝１２を有するので、粘性の低い接着材であっても十分な接着強度を確保できると共に、下方から上方へ向かう接着材の充填をきわめて良好に行うことができ、また、クリアランス内の空気を確実に排出することができ、気泡の残留を防止して、この面からも高い接着強度を確保することができる。
【００９６】
梁下封止ブロック１０の斜辺１０ｓには、傾斜方向上側に平坦面１３を形成すると共に、上部八角形ブロック７に向かって突出して、単一の嵌合凸部１４を傾斜方向に沿って形成し、嵌合凸部１４と向かい合う上部八角形ブロック７の斜辺ｓには、当該嵌合凸部１４に嵌合する単一の嵌合凹部１５を傾斜方向に沿って形成し、これら梁下封止ブロック１０と上部八角形ブロック７との間の第３斜め方向クリアランスＣＳ３には、平坦面１３位置に連通する空気抜き部材１６を挿着したので、積み上げていくことで空気抜きの空間を得ることが難しい上梁２下で、空気をブロックの表面側や裏面側から排出することができて、上梁下充填通路Ｐ３内の空気を確実に排出することができ、気泡の残留を防止して、高い接着強度を確保することができる。
【００９７】
梁下封止ブロック１０同士の間の第２縦方向クリアランスＣＶ２と梁下封止ブロック１０と上梁２との間の第２横方向クリアランスＣＴ２との交差位置には、これに連通する空気抜き部材１６を挿着したので、上梁２下で、空気をブロックの表面側や裏面側から排出することができて、上梁下充填通路Ｐ３内の空気を確実に排出することができ、気泡の残留を防止して、高い接着強度を確保することができる。
【００９８】
上梁２には、上梁２と梁下封止ブロック１０との間の第２横方向クリアランスＣＴ２に連通して、空気抜きするための切り欠き部１７を形成したので、最後に接着材を充填して封鎖する上梁２直下への当該接着材の充填を確実に行うことができて、上梁下充填通路Ｐ３内の空気を確実に排出することができ、気泡の残留を防止して、高い接着強度を確保することができる。
【００９９】
すべてのブロックの互いに接合される斜辺のいずれか一方には、単一の嵌合凸部１４を形成し、他方の斜辺には、嵌合凸部１４に嵌合する単一の嵌合凹部１５を形成したので、接着材の充填前に確保しておくべきブロックの位置調整を容易かつ適切に行うことができる。
【０１００】
上記実施形態では、各封止ブロック９，１０，１８，２１，２２に、斜辺先端部が欠けることを防ぐために、台部等９ａ，１０ａ，１８ａ，２１ａ，２１ｂ，２２ａ，２２ｂを設けたが、台部を設けることなく、八角形ブロック６，７の横辺ｘを梁２，３に、縦辺ｙを柱１に直接接合するようにしても良いことはもちろんである。
【符号の説明】
【０１０１】
１  柱
２  上梁
３  下梁
４  開口部分
５  壁
６  一般部八角形ブロック
７  上部八角形ブロック
８  開口
９  梁上封止ブロック
９ｓ  梁上封止ブロックの斜辺
１０  梁下封止ブロック
１０ｓ  梁下封止ブロックの斜辺
１１  シール材
１２  条溝
１３  平坦面
１４  嵌合凸部
１５  嵌合凹部
１６  空気抜き部材
１７  切り欠き部
ＣＳ１  第１斜め方向クリアランス
ＣＳ２  第２斜め方向クリアランス
ＣＳ３  第３斜め方向クリアランス
ＣＴ１  第１横方向クリアランス
ＣＴ２  第２横方向クリアランス
ＣＶ１  第１縦方向クリアランス
ＣＶ２  第２縦方向クリアランス
Ｐ１  下梁上充填通路
Ｐ２  一般部充填通路
Ｐ３  上梁下充填通路
ｓ  八角形ブロックの斜辺
ｘ  八角形ブロックの横辺
ｙ  八角形ブロックの縦辺
【図１】
0005583071.tif 000002
【図２】
0005583071.tif 000003
【図３】
0005583071.tif 000004
【図４】
0005583071.tif 000005
【図５】
0005583071.tif 000006
【図６】
0005583071.tif 000007
【図７】
0005583071.tif 000008
【図８】
0005583071.tif 000009
【図９】
0005583071.tif 000010
【図１０】
0005583071.tif 000011
【図１１】
0005583071.tif 000012
【図１２】
0005583071.tif 000013
【図１３】
0005583071.tif 000014
【図１４】
0005583071.tif 000015
【図１５】
0005583071.tif 000016
【図１６】
0005583071.tif 000017
【図１７】
0005583071.tif 000018
【図１８】
0005583071.tif 000019
【図１９】
0005583071.tif 000020
【図２０】
0005583071.tif 000021
【図２１】
0005583071.tif 000022
【図２２】
0005583071.tif 000023
【図２３】
0005583071.tif 000024
【図２４】
0005583071.tif 000025